(57)【要約】      （修正有）【課題】外気の侵入を抑制すると共に、２４時間換気においても、霧等の高湿度外気の取り込みによる不具合を解消しつつ不必要な換気の停止を抑制して２４時間換気における運転継続を可能とする熱交換換気装置を提供する。【解決手段】熱交換換気装置１は、室外の空気を室内へ給気する給気風路９に配設され室外の湿度を検出する湿度センサと、室内の空気を室外へ排気する排気風路８に配設され室内のＣＯ２濃度を検出するＣＯ２センサと、制御部と、を有し、この制御部は、室外湿度が湿度閾値以上であり、且つ室内ＣＯ２濃度がＣＯ２濃度閾値以下である場合に、給気風路９に設置された給気用送風機１１及び排気風路８に設置された排気用送風機１０が最大風量よりも低い低風量運転を行うように制御する。【選択図】図１
2014163551.tif 000002
【特許請求の範囲】
【請求項１】
室外側吸込口から吸い込まれた室外空気が、室内側吹出口から室内に給気される通路となる給気風路と、
前記室外空気を前記室内側吹出口から室内に給気する給気用送風機と、
室内側吸込口から吸い込まれた室内空気が、室外側吹出口から室外に排気される通路となる排気風路と、
前記室内空気を前記室外側吹出口から室外に排気する排気用送風機と、
前記給気風路を通過する前記室外空気と前記排気風路を通過する前記室内空気との間で熱交換を行う熱交換器と、
室外の湿度を検出する湿度センサと、
室内のＣＯ２濃度を検出するＣＯ２センサと、
前記湿度センサを用いて検出された室外湿度が湿度閾値以上であるか否かを判定すると共に、前記ＣＯ２センサを用いて検出された室内ＣＯ２濃度がＣＯ２濃度閾値以下であるか否かを判定し、前記室外湿度が前記湿度閾値以上であり、且つ前記室内ＣＯ２濃度が前記ＣＯ２濃度閾値以下である場合に、前記給気用送風機及び前記排気用送風機が最大風量よりも低い低風量運転を行うように制御する制御部と、を有する
ことを特徴とする熱交換換気装置。
【請求項２】
前記室内空気が流れる前記排気風路内の経路を、前記室内空気が前記熱交換器を通過する第１経路、又は前記室内空気が前記熱交換器を通過しない第２経路に切り換える経路切換装置を有し、
前記制御部は、前記湿度センサを用いて検出された室外湿度が第２湿度閾値以上である場合に、前記室内空気が流れる経路が前記第１経路となるように前記経路切換装置を制御する
ことを特徴とする請求項１記載の熱交換換気装置。
【請求項３】
前記制御部は、前記給気用送風機及び前記排気用送風機の前記低風量運転が予め定められた時間継続して行われた場合、前記給気用送風機及び前記排気用送風機が前記低風量運転よりも更に低風量の運転を行うか、又は前記給気用送風機及び前記排気用送風機が停止するように制御し、その後、前記給気用送風機及び前記排気用送風機が前記低風量運転に復帰するように制御する
ことを特徴とする請求項１又は請求項２記載の熱交換換気装置。
【請求項４】
前記制御部は、前記給気用送風機及び前記排気用送風機が前記低風量運転を行っている間に、前記室内ＣＯ２濃度が第２ＣＯ２濃度閾値を上回った場合、前記給気用送風機及び前記排気用送風機の前記低風量運転を解除する
ことを特徴とする請求項１〜請求項３のいずれか一項に記載の熱交換換気装置。
【発明の詳細な説明】
【技術分野】
【０００１】
本発明は、２流体間で熱交換を行う熱交換器を有する熱交換換気装置に関する。
【背景技術】
【０００２】
従来の熱交換換気装置においては、室外で霧が発生している場合、外気を室内に取り込む際、同時に霧も吸い込んでしまい、この霧の吸い込みに起因して、熱交換換気装置の内部で凝縮した水が、機外流出するという問題があった。このため、霧に含まれる水滴を除去することを目的として、例えば、外気を取り込む屋外フードの内部風路を複雑に折り曲げて、風路内で空気を衝突させることにより、霧に含まれる水滴を除去する方式がとられてきた。
【０００３】
また、従来、空気の状態、例えば、湿度をセンサで検知して、この検知された湿度に基づいて換気扇の制御を行う方法が検討されている。例えば、特許文献１には、「屋外の湿度を検出する外気湿度検出器と、前記換気手段の動作を制御する制御手段とを有し、前記制御手段に予め記憶された所定値と前記外気湿度検出器で検出される外気湿度とを比較し、前記外気湿度が前記所定値を下回る場合に前記換気手段を作動させる」室内の自動換気装置が開示されている。
【０００４】
特許文献２には、「顕熱型熱交換器と給気用送風機と排気用送風機を有した本体に室内湿度を検知するセンサと室外湿度を検知するセンサとこれら２つの湿度センサが検出した湿度を入力信号として室内外の湿度の高低および室内の湿度と基準値との比較判定をする湿度判定手段と、この湿度判定手段にもとづき、前記給気用送風機および排気用送風機を運転，停止させる駆動手段とを備えた」自動空調換気装置が開示されている。
【０００５】
また、特許文献３には、「室に設けられた換気扇と、前記室内の前記換気扇近傍に配設された湿度センサーならびに温度センサーと、前記換気扇を間欠運転させるとともに、前記間欠運転による室内の湿度変化が所定の値以上のとき連続運転に切り替え、前記連続運転による湿度変化が前記値よりも小さくなるか、または室内の温度変化が所定の値以上となったとき間欠運転に切り替える電源制御装置とを具備する」室内自動換気システムが開示されている。
【０００６】
更に、特許文献４には、「建物の外部と室内とを室外吸込口と室内吹出口を通じて繋げる給気通路と、同建物の室内と外部とを室内吸込口と室外吹出口を通じて繋げる排気通路と、給気通路に室外吸込口から室内吹出口へ給気流を形成する給気送風機と、排気通路に室内吸込口から室外吹出口へ排気流を形成する排気送風機と、給気通路と排気通路とを流れる気流間で熱交換を行なわせる熱交換器と、給気送風機及び排気送風機の運転を制御する制御部とを備えた熱交換換気装置において、室外吸込口から取り込む給気の状態を検出する給気状態検出器を給気通路内に設け、制御部は、給気状態検出器の検出結果に基づいて、外気が良好なものでないときに、給気送風機を停止もしくは間欠運転させる」熱交換換気装置が開示されている。
【先行技術文献】
【特許文献】
【０００７】
【特許文献１】特開平０８−０１４６１１号公報（請求項１、図１）
【特許文献２】特開平０５−２８０７７４号公報（請求項１、図３）
【特許文献３】特開平０５−３１１９５６号公報（請求項１、図１）
【特許文献４】特開２００９−２９３８８０号公報（請求項１、図２）
【発明の概要】
【発明が解決しようとする課題】
【０００８】
前述の如く、給気タイプの換気扇においては、この換気扇内部への霧の侵入によって、換気扇製品内部で霧が凝縮して水が発生し、この水が機外へ流出して製品の周囲を濡らす等の不具合が生じていた。特に、換気扇が天井埋込タイプの場合は、天井を濡らすため、問題があった。これらについては、上記のように、野外フード部材によって霧を落とすという方法によって、霧の除去は可能であるが、この従来技術は、風路を急激に折り曲げて、風路内で空気を衝突させることにより霧を除去する方式であるため、野外フード内部における圧損が高くなるという問題があった。
【０００９】
また、製品を設置した後に、その設置場所が霧の発生が多い場所であることが判明した場合には、屋外フードを、霧の除去を可能とする野外フードに交換する必要があるが、例えば、ビルの３階以上の場所等においては、この屋外フードの交換は困難であった。
【００１０】
更に、近年、２４時間換気のニーズが高まっていることに伴い、早朝及び深夜において、この早朝及び深夜に多く発生する霧等の高湿度空気が給気されてしまう可能性が高まってきているため、製品内への霧の侵入は大きな課題となっていた。
【００１１】
この課題を解決するため、特許文献４においては、給気通路内に設けた結露センサが所定値以上の外気湿度を検知した場合に、給気送風機が停止又は間欠運転する。これにより、この特許文献４は、換気装置内部への霧の侵入を抑制している。
【００１２】
しかし、この特許文献４のように、給気送風機の運転又は停止を、外気の湿度で判定する場合、外気の湿度上昇は、霧のような高湿度空気が発生した場合だけでなく、昼間の降雨のような場合でも起こるため、このような昼間の降雨による湿度上昇においても、換気が停止してしまうという課題が指摘されるようになってきた。
【００１３】
また、特許文献４のように、給気送風機の停止又は間欠運転時に、排気送風機の運転を継続する場合、室内が室外に対して負圧になるため、給気送風機を停止又は間欠運転していても、給気風路から室内へ外気が流入してしまう。これにより、給気送風機を停止又は間欠運転することにより、外気の侵入を抑制するという効果が低下してしまう。
【００１４】
本発明は、上記のような課題を背景としてなされたもので、外気の侵入を抑制すると共に、２４時間換気においても、霧等の高湿度外気の取り込みによる不具合を解消しつつ不必要な換気の停止を抑制して２４時間換気における運転継続を可能とする熱交換換気装置を提供するものである。
【課題を解決するための手段】
【００１５】
本発明に係る熱交換換気装置は、室外側吸込口から吸い込まれた室外空気が、室内側吹出口から室内に給気される通路となる給気風路と、前記室外空気を前記室内側吹出口から室内に給気する給気用送風機と、室内側吸込口から吸い込まれた室内空気が、室外側吹出口から室外に排気される通路となる排気風路と、前記室内空気を前記室外側吹出口から室外に排気する排気用送風機と、前記給気風路を通過する前記室外空気と前記排気風路を通過する前記室内空気との間で熱交換を行う熱交換器と、室外の湿度を検出する湿度センサと、室内のＣＯ２濃度を検出するＣＯ２センサと、前記湿度センサを用いて検出された室外湿度が湿度閾値以上であるか否かを判定すると共に、前記ＣＯ２センサを用いて検出された室内ＣＯ２濃度がＣＯ２濃度閾値以下であるか否かを判定し、前記室外湿度が前記湿度閾値以上であり、且つ前記室内ＣＯ２濃度が前記ＣＯ２濃度閾値以下である場合に、前記給気用送風機及び前記排気用送風機が最大風量よりも低い低風量運転を行うように制御する制御部と、を有することを特徴とする。
【発明の効果】
【００１６】
本発明によれば、室外湿度が湿度閾値以上であり、且つ室内ＣＯ２濃度がＣＯ２濃度以下である場合に、給気用送風機及び排気用送風機のいずれもが最大風量よりも低い低風量運転を行う。このため、必要最低限の換気量を確保しつつ、高湿度外気のような不要な外気の取り込み量を低下させることができる。また、給気用送風機と共に排気用送風機も低風量運転を行うため、室内が負圧状態になることを軽減することができるので、室内の負圧により、給気風路から霧等の高湿度外気が室内へ侵入することを抑制することができる。更に、ＣＯ２センサにより、ＣＯ２濃度を検出して、ＣＯ２濃度が高い場合は、給気用送風機及び排気用送風機が低風量運転しないため、室内のＣＯ２濃度が高くなることを抑制することができる。
【図面の簡単な説明】
【００１７】
【図１】実施の形態１に係る熱交換換気装置１において、上蓋３を開いた状態を示す斜視図である。
【図２】実施の形態１に係る熱交換換気装置１を、開口１３が設けられた側面からみた場合の断面図である。
【図３】実施の形態１に係る熱交換換気装置１の動作を示すフローチャートである。
【図４】（ａ）は、実施の形態２に係る熱交換換気装置１が熱交換換気を行う場合におけるダンパ装置１５の動作及び空気の流れを示す断面図、（ｂ）は、熱交換換気時の給気流及び排気流の経路を示す模式図である。
【図５】（ａ）は、実施の形態２に係る熱交換換気装置１が普通換気を行う場合におけるダンパ装置１５の動作及び空気の流れを示す断面図、（ｂ）は、普通換気時の給気流及び排気流の経路を示す模式図である。
【発明を実施するための形態】
【００１８】
以下、本発明に係る熱交換換気装置の実施の形態について、図面を参照しながら説明する。なお、以下に説明する実施の形態によって本発明が限定されるものではない。また、図１を含め、以下の図面では各構成部材の大きさの関係が実際のものとは異なる場合がある。また、以下の説明において、理解を容易にするために方向を表す用語（例えば「上」、「下」、「右」、「左」、「前」、「後」など）を適宜用いるが、これは説明のためのものであって、これらの用語は本願発明を限定するものではない。
【００１９】
実施の形態１．
図１は、実施の形態１に係る熱交換換気装置１において、上蓋３を開いた状態を示す斜視図である。この図１に基づいて、熱交換換気装置１について説明する。図１に示すように、この熱交換換気装置１は、装置の外郭を形成する本体箱体２を有しており、この本体箱体２の対向する側面の一方には、室内側吸込口４及び室内側吹出口６が設けられ、また、この対向する側面の他方には、室外側吸込口５及び室外側吹出口７が設けられている。この本体箱体２は、対向する側面の一方が室内側に向けられ、対向する側面の他方が室外側に向けられるように設置される。
【００２０】
そして、本体箱体２内部には、室内側吸込口４から吸い込まれた室内の空気が、室外側吹出口７から室外へ排気される排気風路８（室内側吸込口４及び室外側吹出口７を含む）と、室外側吸込口５から吸い込まれた室外の空気が、室内側吹出口６から室内へ給気される給気風路９（室外側吸込口５及び室内側吹出口６を含む）とが形成されている。この排気風路８における室外側吹出口７の近傍には、排気流を形成するための羽根１０ａと、この羽根１０ａを駆動するための電動機１０ｂとから構成される排気用送風機１０が設けられている。この羽根１０ａは、羽根ケーシング１０ｃの一端部に覆われており、羽根ケーシング１０ｃの他端部が、室外側吹出口７に取り付けられることによって、羽根ケーシング１０ｃ内部を流れる空気が、室外側吹出口７から排気されるようになっている。また、給気風路９においても、室内側吹出口６の近傍に、給気流を形成するための羽根１１ａと、この羽根１１ａを駆動するための電動機１１ｂとから構成される給気用送風機１１が設けられている。この給気用送風機１１においても、羽根１１ａは、羽根ケーシング１１ｃの一端部に覆われ、この羽根ケーシング１１ｃの他端部が室内側吹出口６に取り付けられて、給気流が、室内側吹出口６から室内へ給気されるようになっている。
【００２１】
また、本体箱体２には、室内側吸込口４及び室内側吹出口６と、室外側吸込口５及び室外側吹出口７との間に、熱交換器１２が設けられており、この熱交換器１２によって、給気流と排気流との間で熱交換が行われる。なお、本体箱体２において、室内側吸込口４及び室内側吹出口６並びに室外側吸込口５及び室外側吹出口７が設けられた側面以外の側面には、開口１３が設けられており、この開口１３から熱交換器１２が挿脱可能となっている。この開口１３は、熱交換器１２が本体箱体２に取り付けられた後、メンテナンスカバー１４によって閉じられる。
【００２２】
次に、熱交換換気装置１内の給気及び排気の流れについて説明する。図２は、この熱交換換気装置１を、開口１３が設けられた側面からみた場合の断面図である。図１及び図２に示すように、排気風路８内を流れる室内の空気は、ダクト（図示せず）を介して室内側吸込口４から矢印Ａのように吸い込まれ、熱交換器１２を通過した後、矢印Ｂのように羽根ケーシング１０ｃに入り、排気用送風機１０によって、矢印Ｃのように室外側吹出口７から室外に排気される。また、給気風路９内を流れる室外の空気は、ダクト（図示せず）を介して室外側吸込口５から矢印Ｄのように吸い込まれ、室内の空気と交差するように、熱交換器１２を通過する。その際、前述の如く、給気流と排気流との間で熱交換が行われることにより、排気熱を回収するため、冷暖房負荷を軽減することができる。この熱交換器１２を通過した後、室内の空気は、矢印Ｅのように羽根ケーシング１１ｃに入り、給気用送風機１１によって、矢印Ｆのように室内側吹出口６からダクト（図示せず）を介して室内に給気される。
【００２３】
また、排気風路８には、例えば、室内側吸込口４と熱交換器１２との間に、ＣＯ２センサ２２が取り付けられており、このＣＯ２センサ２２を用いて室内のＣＯ２濃度を検出する。更に、給気風路９には、例えば、室外側吸込口５と熱交換器１２との間に、湿度センサ２１が取り付けられており、この湿度センサ２１を用いて室外の湿度を検出する。これらのＣＯ２センサ２２及び湿度センサ２１と、本体箱体２に設けられた排気用送風機１０及び給気用送風機１１とを駆動するために、例えば、本体箱体２の下面に、制御部２３が設けられている。そして、この制御部２３には、熱交換換気装置１を操作するためのリモコン２４が接続されている。制御部２３の内部には、ＣＰＵ及び不揮発性メモリ等（いずれも図示せず）が内蔵されており、制御部２３は、リモコン２４からの信号入力に応じて、予め記憶された制御プログラムに基づいて給気用送風機１１及び排気用送風機１０を動作させる。
【００２４】
次に、本実施の形態１に係る熱交換換気装置１の動作について説明する。図３は、この熱交換換気装置１の動作を示すフローチャートである。図３に示すように、通常運転を行っている状態において、先ず、外気温度が０℃以上であるか否かを判定する（ステップＳ１）。このとき、外気温度が０℃を下回る場合は、霧が発生しないため、通常運転を継続する（ステップＳ１のＮｏ）。一方、外気温度が０℃以上である場合は、霧が発生している可能性があるため、次のステップに進む（ステップＳ１のＹｅｓ）。
【００２５】
次のステップでは、排気風路８に設けられたＣＯ２センサ２２によって検出された室内のＣＯ２濃度が、予め定められたＣＯ２濃度閾値以下であるか否かを判定する（ステップＳ２）。このＣＯ２濃度閾値は、例えば、建築物衛生法によって定められた基準値である１０００ｐｐｍとすることができる。室内のＣＯ２濃度が１０００ｐｐｍを上回る場合は、建築物衛生法の基準値である１０００ｐｐｍを満たすために、通常運転を継続して、ＣＯ２濃度を低下させる必要がある（ステップＳ２のＮｏ）。一方、室内のＣＯ２濃度が１０００ｐｐｍ以下である場合は、次のステップに進み（ステップＳ２のＹｅｓ）、外気の湿度を判定する。
【００２６】
この外気湿度は、給気風路９に設けられた湿度センサ２１によって検出されるものであり、検出された外気の湿度が、予め定められた湿度閾値、例えば８０％ＲＨ以上であるか否かを判定する（ステップＳ３）。外気の湿度が８０％ＲＨ未満である場合は、霧が発生しているとは考え難いため、通常運転を継続する（ステップＳ３のＮｏ）が、外気の湿度が８０％ＲＨ以上である場合は、霧の発生が考えられるため、次のステップに進む（ステップＳ３のＹｅｓ）。
【００２７】
このように、外気温度が０℃以上（ステップＳ１のＹｅｓ）、室内ＣＯ２濃度が１０００ｐｐｍ以下（ステップＳ２のＹｅｓ）及び外気湿度が８０％ＲＨ以上（ステップＳ３のＹｅｓ）を満たすとき、例えば、給気用送風機１１を常時最低風量運転（微弱運転）に変更すると共に、排気用送風機１０も常時最低風量運転（微弱運転）に変更する（ステップＳ４）。これにより、必要最低限の室内の換気を維持しつつ、８０％ＲＨ以上の高湿度外気が、熱交換換気装置１の内部に侵入することを抑制することができる。また、本実施形態では、給気用送風機１１を最低風量運転とするだけではなく、排気用送風機１０も最低風量運転とするため、室内が負圧になることを抑制することができる。このため、給気風路９から高湿度外気が室内に入り込むことを抑制することができる。
【００２８】
そして、ステップＳ１〜ステップＳ４の動作を、例えば１０時間経過するまで、５〜１０分間隔で繰り返す（ステップＳ５）。１０時間経過していない場合は、ステップＳ１に戻り、ステップＳ１からステップＳ４までを順次行う（ステップＳ５のＮｏ）。これらの動作が１０時間連続して行われた場合、次のステップに進む（ステップＳ５のＹｅｓ）。
【００２９】
次のステップでは、給気用送風機１１及び排気用送風機１０のいずれも、例えば５５分停止させる（ステップＳ６）。これは、外気温度が０℃以上（ステップＳ１のＹｅｓ）及び外気湿度が８０％ＲＨ以上（ステップＳ３のＹｅｓ）を満たす時間が１０時間を超えていることにより、霧が継続的に発生していると判断されるためである。このステップＳ６において、給気用送風機１１及び排気用送風機１０を停止させることにより、霧が、熱交換換気装置１内及び室内に侵入することを抑制する。
【００３０】
ステップＳ６にて、給気用送風機１１及び排気用送風機１０を５５分停止させた後、給気用送風機１１によって室外の空気を取り込んで、給気風路９に設けられた湿度センサ２１によって外気の湿度を測定しつつ給気用送風機１１を運転するセンシング運転を、最低風量で５分行うと共に、排気用送風機１０を最低風量で運転する（ステップＳ７）。
【００３１】
これらのステップＳ６及びステップＳ７のように、給気用送風機１１及び排気用送風機１０が間欠運転を行っている間に、排気風路８に設けられたＣＯ２センサ２２によって検出された室内ＣＯ２濃度が１０００ｐｐｍを超える場合は、建築物衛生法の基準値、即ち、ＣＯ２濃度が１０００ｐｐｍ以下であることを満たしていないため、換気が必要と判断され、給気用送風機１１及び排気用送風機１０は、通常運転に復帰する（ステップＳ２のＮｏ）。
【００３２】
更に、給気用送風機１１の５分間のセンシング運転にて、取り込まれた外気の湿度を検出し、その検出結果が８０％ＲＨ未満である場合も、霧が収まったものと判断され、給気用送風機１１及び排気用送風機１０の間欠運転を終了して、通常運転に復帰する（ステップＳ３のＮｏ）。
【００３３】
一方、給気用送風機１１の５分間のセンシング運転の間においても、室内ＣＯ２濃度が１０００ｐｐｍ以下且つ外気湿度が８０％ＲＨ以上である場合、再度、給気用送風機１１及び排気用送風機１０を５５分停止させる（ステップＳ６）。その後、再び、給気用送風機１１のセンシング運転及び排気用送風機１０の最低風量運転を５分行い（ステップＳ７）、この間に、上記のように、室内ＣＯ２濃度及び外気湿度の判定を行う。なお、本実施形態では、ステップＳ６において、給気用送風機１１及び排気用送風機１０を停止させているが、給気用送風機１１及び排気用送風機１０を停止させずに、これらが更に低風量で運転するように制御してもよい。
【００３４】
なお、上記のステップＳ４及びステップＳ７において、排気用送風機１０は、最低風量にて排気をすることにより、室内の換気を継続するものであるが、この排気風量は、必要最低限の換気量を確保することができる程度まで低下させることが好ましい。また、換気回数は、建築基準法に規定されているように、０．３回／ｈ又は０．５回／ｈ以上とすることが好ましい。
【００３５】
また、本実施形態では、間欠運転を行う際のセンシング運転時間を５分とし、停止時間（間欠時間）を５５分としたが、これらの時間は使用者のニーズに応じて任意に設定変更することができる。その際、センシング運転時間は、１〜３０分の間から選択し、また、停止時間は、３０〜９０分の間から選択することが好ましい。
【００３６】
なお、本実施形態では、給気風路９に設けられた湿度センサ２１を用いて、外気の湿度を検出しているが、この湿度センサ２１の代わりに温湿度センサを用いてもよい。これにより、図３のステップＳ１における外気の温度の検出を、外気の湿度の検出と同時に行うことができる。
【００３７】
実施の形態２．
次に、実施の形態２に係る熱交換換気装置１について説明する。本実施形態では、実施の形態１に係る熱交換換気装置１における排気風路８の途中に、排気流の経路を変更するための経路切換装置となるダンパ装置１５を設けた構成例を示す。なお、本実施の形態２では実施の形態１との相違点を中心に説明し、前述の図１、図２及び図３と同一又は相当する構成には同一の符号を付す。
【００３８】
図４（ａ）は、実施の形態２に係る熱交換換気装置１が熱交換換気を行う場合におけるダンパ装置１５の動作及び空気の流れを示す断面図、図４（ｂ）は、この熱交換換気を行う場合の給気流及び排気流の経路を示す模式図である。また、図５（ａ）は、同じくこの熱交換換気装置１が普通換気（熱交換換気ではない換気）を行う場合におけるダンパ装置１５の動作及び空気の流れを示す断面図、図５（ｂ）は、普通換気時の給気流及び排気流の経路を示す模式図である。これらの図４及び図５に基づいて、熱交換換気装置１について説明する。図４（ａ）に示すように、給気流と排気流との間で熱交換する場合は、ダンパ装置１５を開いて、排気流の経路を、室内空気が熱交換器１２を通過する第１経路８ａとする。これにより、矢印Ａのように室内側吸込口４から吸い込まれた排気流は、矢印Ｂのように熱交換器１２を通過して、排気用送風機１０によって、矢印Ｃのように室外側吹出口７から排気される。このため、図４（ｂ）に示すように、給気流（矢印Ｄ，Ｅ，Ｆ）及び排気流（矢印Ａ，Ｂ，Ｃ）が熱交換器１２の部分で交差して、両者間で熱交換が行われる。
【００３９】
一方、図５（ａ）に示すように、給気流と排気流との間で熱交換を行わずに普通換気する場合は、ダンパ装置１５を閉じて、排気流の経路を、室内空気が熱交換器１２を通過しない第２経路８ｂとする。これにより、室内側吸込口４から矢印Ａのように熱交換換気装置１内に進入した排気流は、矢印Ｂのように熱交換器１２を通過せずに迂回して、矢印Ｃのように室外側吹出口７から室外に排気されるため、図５（ｂ）に示すように、給気流（矢印Ｄ，Ｅ，Ｆ）と排気流（矢印Ａ，Ｂ，Ｃ）との間で熱交換は行われない。
【００４０】
次に、本実施の形態２に係る熱交換換気装置１の動作について説明する。本実施形態は、実施の形態１と同様に、図３に示すフローチャートに従って、給気用送風機１１及び排気用送風機１０の運転及び停止を制御するものであるが、本実施形態では、ステップＳ６及びステップＳ７のように、給気用送風機１１及び排気用送風機１０が間欠運転する際、ダンパ装置１５を開いて、熱交換換気を行う。このように、給気用送風機１１及び排気用送風機１０の間欠運転時に、熱交換換気に切り替えることにより、室内の比較的乾燥した空気が、熱交換器１２に流入するため、熱交換器１２を乾燥させることができる。
【産業上の利用可能性】
【００４１】
以上のように、本発明に係る熱交換換気装置は、湿度が高い地域の建物に設置される熱交換換気装置として有用である。
【符号の説明】
【００４２】
１  熱交換換気装置、２  本体箱体、３  上蓋、４  室内側吸込口、５  室外側吸込口、６  室内側吹出口、７  室外側吹出口、８  排気風路、８ａ  第１経路、８ｂ  第２経路、９  給気風路、１０  排気用送風機、１０ａ  羽根、１０ｂ  電動機、１０ｃ  羽根ケーシング、１１  給気用送風機、１１ａ  羽根、１１ｂ  電動機、１１ｃ  羽根ケーシング、１２  熱交換器、１３  開口、１４  メンテナンスカバー、１５  ダンパ装置、２１  湿度センサ、２２  ＣＯ２センサ、２３  制御部、２４  リモコン。
【図１】
2014163551.tif 000003
【図２】
2014163551.tif 000004
【図３】
2014163551.tif 000005
【図４】
2014163551.tif 000006
【図５】
2014163551.tif 000007